(57)【要約】【課題】水量の少ないときでも水位を相対的に高め、水の流れをスムーズにする水路形成体を提供する。【解決手段】内部の底面に長手方向に沿って一又は複数の突条を設けたことを特徴とする水路形成体。【選択図】  図１
2004285700.tif 000002
【特許請求の範囲】
【請求項１】
内部の底面に長手方向に沿って一又は複数の突条を設けたことを特徴とする水路形成体。
【請求項２】
突条が一条であり、底面の中央に設けられる請求項１の水路形成体。
【請求項３】
一端側に、突条で区分けされる水路のうちの特定の水路を塞いで他の水路に通ずる誘導堰を設けた請求項１の水路形成体。
【発明の詳細な説明】
【０００１】
【発明の属する技術分野】
本発明は、Ｕ字溝やボックスカルバートといった水路ブロック或いは屋根等に取り付けられる樋といった水路形成体に関するものである。
【０００２】
【従来の技術】
Ｕ字溝やボックスカルバートといった水路ブロックは、その底面は、一般的には平坦に構成されている。従って、これを流れる水量が少ないときには、水深が浅くなって流れにスムーズさを欠く。このため、底面の中心が低くなるように、側部分から中心に向かって肉厚を漸薄にしているものが見られるが、こうすると、中心部の肉厚が薄くなり、全体としての強度が低下する。又、樋は断面が半円形をしているものが多いが、これを流れる雨水の量が少ないときには、流れはスムーズではない。
【０００３】
【発明が解決しようとする課題】
本発明は、このような課題を解決したものであり、内部の底面に長手方向に沿って突条を設けることで、水路を区分けし、少ない水量でも十分な水深が確保できるようにして流れをスムーズにしたものである。一方、水量が多いときには、従来どおりの機能を奏するようにしたものである。
【０００４】
【課題を解決するための手段】
以上の課題の下、本発明は、請求項１に記載した、内部の底面に長手方向に沿って一又は複数の突条を設けたことを特徴とする水路形成体を提供したのである。これにより、水路形成体内部の水路は、突条によって複数の水路に区分けされるから、各々の水路の断面積は狭まる。従って、突条の容積分だけ水深が上がり、特に、水量の少ないときには、水路形成体の壁面の抵抗が水流エネルギーに対して相対的に減じて流れがスムーズになる。一方、突条の丈を超える水深になると、水路は一つとなって従来どおりの水路となる。
【０００５】
この突条の数は問わないが、一般的には、請求項２に記載した、突条が一条であり、底面の中央に設けられる。又、請求項３に記載した、一端側に、突条で区分けされる水路のうちの特定の水路を塞いで他の水路に通ずる誘導堰を設けるとすれば、少ない水量のときには、特定の水路のみに水を流せるから、水深を総じて高くでき、流れをスムーズにできる。一方、水量が多いときには、すべての水路に水が流れるから、従来どおりの水路形成体となる。
【０００６】
【発明の実施の形態】
以下、本発明の実施の形態を図面を参照して説明する。図１は本発明の一例を示す水路形成体１としてＵ字溝を例にとったの斜視図であるが、Ｕ字溝１は、断面がＵ字形をしており、壁面２で囲まれた空間を水路３としているものである。本発明は、水路３の底面（底壁）２ａに長手方向に沿って突条４を設けたものである。本例の突条４は、底面２ａの中心に一条設けられるものであるが、その数や位置は問わない。
【０００７】
この場合の突条４の丈は、水流が多くなったときには一つの水路として作用する必要があることから、あまり背の高いものは適さず、比較的背の低いものが好ましい（厚みには特に限定はない）。又、突条３の高さは全長に亘って同じ高さが原則であるが、異なる高さであってもよい。以上により、水路３は突条４で区分けされて二つの水路３ａ、３ｂに区画される。
【０００８】
このような突条４を設けることで、少ない水量のときには（その水深が突条４の丈を超えないとき）、突条４の容積分だけ水路３の容積が少なくなって水深が上がる。従って、Ｕ字溝１の壁面２による抵抗は、水流エネルギーに対して相対的に減じ、流れがスムーズになる。尚、流れがスムーズになれば、Ｕ字溝１本来の機能を奏するものになるし、中に溜まるゴミ等も流失させて余計にその機能が高まる。一方、水量が突条４の丈を超える程度に多くなると、従来どおり、一つの水路となって必要な水流を確保できる。尚、このときも、突条４による抵抗は存するが、大きな水量に基づく水流エネルギーによって無視できるものとなる。
【０００９】
図２は本発明の他の例を示すＵ字溝１の平面図であるが、本例のものは、その一端に、突条４で区分けされる水路３のうちの一方の水路３ａを塞いで他方の水路３ｂに斜めに通ずる誘導堰５を設けたものである。この誘導堰５は、突条４の成形と同時に成形してもよいし、突条４の端の一部を欠落させておき、ここに別体に製作した直方体状のものを一方の水路３ａを塞ぐように嵌め込むようなものであってもよい。この誘導堰５によると、その丈を超えない水量のときには、他方の水路３ｂのみに水は誘導されるから、同様に水深を高めて流れをスムーズにする。
【００１０】
このときの誘導堰５の丈の高さは、通常では突条４の高さと等しくしておくが、異なるものであってもよい。誘導堰５の丈が突条４よりも高い場合は、両方の水路３ａ、３ｂに流れる水深の水量であっても、他方の水路３ｂへ優先的に導くし、低い場合は、ある程度水量が多くなったときに両方の水路３ａ、３ｂに流れるものとなる。ところで、このようなＵ字溝１は、多数のものが継ぎ足されて水路を構築することになるが、誘導堰５は、水路の始端に組み込まれるものに設けるだけでよく、その他のものについては突条４だけでよい。
【００１１】
図３は水路形成体１として樋１を例にとった場合の屋根の要部の断面図であるが、樋１は、最下端の屋根材（瓦）６の下方に支持具７で支持されるものである。この樋１の底面２にも突条４を設けることで、水路を二つ３ａ、３ｂに区分けできる。従って、樋１に流れ込む雨水の量が少ないときには、一方の水路３ａに優先的に流れ、水深を高めて流れをスムーズにするし、多いと、両方の水路３ａ、３ｂ共に流れて従来どおりの樋１の機能を奏する。尚、樋１の流れが良くなると、中にたまるゴミや落葉が減るから、溢れや損傷が少ない。
【００１２】
以上は、本発明の一例であるが、突条が形成されるのはＵ字溝に限らず、暗渠型のボックスカルバート等、すべての水路ブロックに適用される。更に、水路ブロックに限らず、樋を含むあらゆる水路形成体に適用できる。又、突条の数は一つに限られるものではなく、二つ或いはそれ以上であってもよい。更に、水路形成体は、コンクリート製に限らず、陶製、木製、金属製等あらゆる材質のものに適用できる。ところで、このような水路形成体は、一般には型を用いる成形によって製作されるから、この型を突条が形成できるようなものにしておくことで、製品と同時に成形できる。勿論、別体の突条を製作しておき、これを取り付けるものであってもよい。
【００１３】
【発明の効果】
以上、本発明は、水路形成体の水路を突条によって複数の水路に区分けするものであるから、突条の容積分だけ水深が上がり、特に水量が少ないときに水路形成体の壁面の抵抗が相対的に減じて流れがスムーズになる。一方、突条の丈を超える水深になると、水路は一つとなって従来どおりの水路となる。又、誘導堰を設けると、少ない水量のときには、特定の水路のみに水を流せるから、水深を総じて高くでき、流れをスムーズにできる。
【図面の簡単な説明】
【図１】本発明の一例を示す水路形成体の斜視図である。
【図２】本発明の一例を示す水路形成体の一部平面図である。
【図３】本発明の他の一例を示す水路形成体の一部平面図である。
【符号の説明】
１      水路形成体
２      水路形成体の壁面
２ａ    壁面のうちの底面
３      水路
３ａ    一方の水路
３ｂ    他方の水路
４      突条
５      誘導堰
【図１】
2004285700.tif 000003
【図２】
2004285700.tif 000004
【図３】
2004285700.tif 000005